(57)【要約】【課題】従来のホームドアは建設費が高く重装備の為に工事に時間がかかりなかなか普及しません。電車の車輌構造の違いでドアの位置が違う電車もあり、又車輌編成により、止まる位置の違いもあります。上記の二点の問題が設置の進まない原因となっています。【解決手段】プラットホーム用ネット転落防止装置を設置する事で乗降時のプラットホームは全面解放され、どんな形式の車輌にもどんな編成の電車であっても対応出来ます。又ネットを活用する事で安い建設費で短期間で工事が出来ます。【選択図】図１
2019163018.tif 000002
【特許請求の範囲】
【請求項１】
プラットホーム用ネット転落防止装置はポール、減速モーター、パイプ、転落防止用ネット、第一ロープ、第二ロープ、重り、ベアリングセット、ガードレールの組合せにより、安全なプラットホームを実現する為に、プラットホームに、一定の間隔で、ポールを建て、プラットホームの一方のポールに減速モーターを取り付け減速モーターの回転軸とパイプを直結しパイプはポールの上部に保持し、第一ロープの一方に重りを付け、ロープはパイプに数回巻き付けて、他方を転落防止用ネットに固定し、ポールとポールの中間に、取り付ける第二ロープは、一方をパイプに固定し、他方は転落防止用ネットに固定し、さらにポールにガードレールを取り付け、ガードレール内で上下動する、ベアリングセットに転落防止用ネットを取り付け、適度の張りを持たせるように構成し、減速モーターの回転制御により転落防止用ネットを上下動するようにした事を特徴とする、プラットホーム用ネット転落防止装置。
【発明の詳細な説明】
【技術分野】
【０００１】本発明はネットによる転落防止装置に関する。
【背景技術】
【０００２】現在、ホームドアの設置が国民から熱望されているにもかかわらず、建設費が高額の為に設置数が少ない。平成２９年３月の時点でホームドアが設置されている駅は７％であると新聞が報じている。建設費の安い、工事期間の短かい、簡単なプラットホーム用ネットを活用しても充分な安全が確保される、プラットホーム用ネット転落防止装置。【０００３】建設現場においてはネットによる高層ビル建設の安全対策が行われています。
【発明の概要】
【発明が解決しようとする課題】
【０００４】従来のホームドアは高額な工事費が建設の進まない、理由として考えられます。
重装備の方が安全であると感違いされています。【０００５】電車の構造により、ドアの間隔が異なっていたり、電車の編成の違いで電車の停止位置が変る為に一部が開放される、ホームドアではすべての駅に転落防止装置として設置する事はむずかしくなっています。複雑な乗り入れに対処する為にはホーム全体の解放が必要です。
【課題を解決する手段】
【０００６】本発明はホーム全長の開放を実現するプラットホーム用ネットで乗客の安全を確保する方法として、ポールに設置されたネットを、適度に張り乗客がネットに倒れかかってもネットが下がらないように、上部のワイヤーにつながった、ロープで常時つり上げる。
ネットに安全確保の強さを出す方法としてネットの両はじに、ベアリングの付いた、セットを取り付けポールに設置した、ガードレールと組み合せる。
【０００７】減速モーターに直結した、回転パイプに巻き付けられた、ロープは減速モーターが回転すると、ロープに接続した、転落防止用ネットは引き上げられる。
【０００８】電車がホームに到着するとホームに設置された光センサーが反応して減速モーターのスイッチが入り電車のドアが開く前にネットは上昇する。
乗客はネットの下を通り乗り降りする事が出来る。
【発明の効果】
【０００９】  プラットホーム全体を開放出来るプラットホーム用ネット転落防止装置はタイプの違う電車にも、電車編成の都合で停車位置の変る電車にも対応出来る。
【００１０】ポール、ネット、パイプ、ロープ等簡単な部材で安い建設費で設置出来る。
【００１１】簡単な構造の為に設置作業が簡単で工期が短かく故障が少ない。小さな駅でも設置出来る。
【図面の簡単な説明】
【００１２】
【図１】本発明の実施形態を示すプラットホーム用ネット転落防止装置の側面図
【図２】プラットホーム用ネットが上昇した時の側面図
【図３】プラットホーム用ネットが上昇時の正面図
【図４】プラットホーム用ネットが下降時の正面図
【図５】プラットホーム用転落防止装置の上面図
【図６】減速モーターの側面図、正面図
【図７】図５−７の拡大側面図  図５−７の拡大上面図
【図８】注油溝とオイルリング
【図９】カーブしているプラットホームのプラットホーム用ネット転落防止装置の上面図
【図１０】ガードレールとベアリングセットを組合せたポールの上面図
【図１１】ポールをアンカーボルトで取り付けた側面図
【図１２】アンカーボルト取り付けの拡大側面図  掘削によるポール取付けの側面図
【図１３】プラットホーム用ネットが下りている時の斜視図
【図１４】プラットホーム用ネットが上がっている時の斜視図
【発明を実施する為の形態】
【００１３】  以下本発明の形態を〔図１〕−〔図１５〕に基づいて説明する。
【００１４】  図１においては乗客の線路への転落を防止する事の出来るネット１である。この転落防止用ネット１がプラットホーム１０全長に設置され乗客がプラットホーム１０より落下する事はない。又急行電車等がプラットホーム１０を通過する場合にも不安を感じる事のない設備として設置する事でプラットホーム１０にいる乗客の安全、安心が確保される。
【００１５】  プラットホーム１０に電車１５が止まり減速モーター８に赤外線スイッチ（光センサー）１７又は手動スイッチ１４により電源３２が入り減速モーター８は回転、減速モーター８に直結された巻き上げパイプ３はゆっくり回転をはじめる。まき上げパイプ３に数回まかれた重り１１付きの第一つり上げロープ１２に直結した転落防止用ネット１は上昇する。ネット１の重さによりまきつける回数はちがう。ポールとポールの中間に取り付けられた第二つり上げロープ２は巻き上げパイプ３にまかれて転落防止用ネット１を引き、上げる。電車１５、発車後に減速モーター８は逆回転し転落防止用ネットは元の位置まで下る。
【００１６】プラットホーム１０に電車１５が止まりプラットホーム１０に設置された光センサー１７の赤外線は遮断され減速モーター８にスイッチが入り、減速モーター８に直結したプラットホーム１０、全長の巻き上げパイプ３は回転をはじめる。
ネット１が適度の高さになった時に減速モーター８の電源３２はポール７の上部に設置された、停止スイッチ２３により上昇は止まる。
減速モーター８のブレーキが働き、転落防止用ネット１は降りる事はない。
電車発車後に光センサー１７の赤外線又は手動により減速モーター８に逆転スイッチが入り転落防止用ネットは下降する。
ポール７下部に設置された停止スイッチ２４が働き元の高さで停止する。
【００１７】転落防止用ネット１が少動力で安定した上昇をする為には転落防止用ネット１と同じ重量の重り１１が必要です。
重り１１を活用する事でエレベーターのような安定した上昇になり、減速モーター１０も１０両編成のプラットホーム、（２１０ｍ）１５両編成のプラットホーム１０、（３５０ｍ）の全長でも設備は一式ですみます。
【００１８】乗客が転落防止用ネット１に倒れかかっても線路に転落しない為には転落防止用ネット１に適度の張りを持たせる必要があります。プラットホーム１０の両はじに設置されたポール７にガードレール６を取り付け、ガードレールの内側を４個のベアリング２１の付いた台車２２が上下する事で適度の張りを持たせる事が出来る。
【００１９】乗客が転落防止用ネット１に倒れかかっても転落防止用ネット１が下がらない仕組みとして減速モーター８にブレーキーが付いており乗客の全休重が転落防止用ネット１の上部にかかっても、転落防止用ネットは下る事はない。
巻き上げパイプ３に連結された、重り１１のついた第１つり上げロープ２、パイプに直結した第２つり上げロープ１２で転落防止用ネット１は安定している。
【００２０】カーブしている、プラットホーム〔図７〕にプラットホーム用ネット転落防止装置を取り付ける場合は巻き上げパイプの繋ぎ目にユニバーサルジョイント１９を使用する事で対処できる。
【００２１】プラットホーム１０のポール７の設置方法として、コンクリートソー、ホールソーでプラットホーム１０に適度の穴を掘り、ポール７をたて、モルタルを締めてポールを固定する。〔図１１〕
ボルトを使う方法としてポール７の下部に加工した鉄板を取り付けボルト３６でプラットホームに固定するポール７の上部は建屋に固定する
【００２２】〔図７〕においてはポール７内の重り１１はポールとネットガイド３９にはさまれた、転落防止用ネットがスムーズに上下させる方法としてポールを巻き上げパイプ４１の配置が重要である。
巻き上げパイプ４１の太さをもつ事でポール内を重りがスムーズに上下する事が出来る。
【００２３】まき上げパイプ４１を保持するポールとネットガイドの接続金具４２の接点及パイプつり上け金具５と巻き上げパイプ４１の接点においてはグリス又はオイルの注油が必要である。接点には油がたまる溝を作る。
注油溝に入るリングを巻き上げパイプ４１に取り付ける。
【００２４】ポール７内の重り１１にはオイルをしみ込ませた布を巻き付ける。
【符号の説明】
【００２１】  １  転落防止用ネット
２  第一つり上げロープ
３  巻き上げロープ
４  パイプつり上げワイヤー
５  パイプつり上げ金具
６  ガードレール
７  ポール
８  減速モーター
９  モーター台
１０  プラットホーム
１１  重り
１２  第二つり上げロープ
１３  乗降客
１４  手動スイッチ
１５  電車
１６  線路
１７  光センサー（送）赤外線
１８  光センサ（受）赤外線
１９  ユニバーサルジョイント
２０  ベアリングセット
２１  ベアリング
２２  ベアリング取付台
２３  停止スイッチ（上）
２４  停止スイッチ（下）
２５  パイプとロープのとめ
２６  重りのついたロープとまき上げパイプの拡大図
２７  ネット下降時のストップスイッチ
２８  ネット上昇時のストップスイッチ
２９  つり上げロープのまき上げ時
３０  ５の釣り上げ金具の拡大図
３１  赤外線スイッチのスイッチ
３２  電源
３３  建屋と直結の取り付け部
３４  ボルト固定カ所
３５  鉄板
３６  ボルト
３７  建屋
３８  掘削穴
３９  ネットガイド
４０  片面メタル
４１  巻き上げパイプ
４２  ポールとネットガイドの接続金具
４３  注油溝
４４  リング
【図１】
2019163018.tif 000003
【図２】
2019163018.tif 000004
【図３】
2019163018.tif 000005
【図４】
2019163018.tif 000006
【図５】
2019163018.tif 000007
【図６】
2019163018.tif 000008
【図７】
2019163018.tif 000009
【図８】
2019163018.tif 000010
【図９】
2019163018.tif 000011
【図１０】
2019163018.tif 000012
【図１１】
2019163018.tif 000013
【図１２】
2019163018.tif 000014
【図１３】
2019163018.tif 000015
【図１４】
2019163018.tif 000016
【手続補正書】
【提出日】平成30年12月17日(2018.12.17)
【手続補正１】
【補正対象書類名】明細書
【補正対象項目名】００１９
【補正方法】変更
【補正の内容】
【００１９】乗客が転落防止用ネット１に倒れかかっても転落防止用ネット１が下がらない仕組みとして減速モーター８にブレーキーが付いており、乗客の全体重が転落防止用ネット１の上部にかかっても、転落防止用ネットは下る事はない。
巻き上げパイプ３に連結された、重り１１のついた第１つり上げロープ１２パイプに直結した第２つり上げロープ２で転落防止用ネット１は安定している。
【手続補正２】
【補正対象書類名】明細書
【補正対象項目名】００２０
【補正方法】変更
【補正の内容】
【００２０】    カーブしているプラットホーム〔図９〕にプラットホーム用ネット転落防止装置を取り付ける場合は巻き上げパイプの繋ぎ目にユニバーサルショイント１９を使用する事で対処できる。
【手続補正３】
【補正対象書類名】明細書
【補正対象項目名】００２１
【補正方法】変更
【補正の内容】
【００２１】    プラットホーム１０のポール７の設置方法としてコンクリートソー、ホールソーでプラットホーム１０に適度の穴を堀り、ポールをたて、モルタルを結めてポールを固定する。〔図１２〕
ボルトを使う方法としてポール７の下部に加工した鉄板を取り付けボルト３６でプラットホームに固定する。ポール７の上部は建屋に固定する。
【手続補正４】
【補正対象書類名】明細書
【補正対象項目名】００２５
【補正方法】変更
【補正の内容】
【００２５】
【符号の説明】
１：  転落防止用ネット
２    第二つり上げロープ
３    巻き上げロープ
４    パイプつり上げワイヤー
５    パイプつり上げ金具
６    ガードレール
７    ポール
８    減速モーター
９    モーター台
１０  プラットホーム
１１  重り
１２  第一つり上げロープ
１３  乗降客
１４  手動スイッチ
１５  電車
１６  線路
１７  光センサー（送）赤外線
１８  光センサー（受）赤外線
１９  ユニバーサルジョイント
２０  ベアリングセット
２１  ベアリング
２２  ベアリング取付台
２３  停止スイッチ（上）
２４  停止スイッチ（下）
２５  パイプとローブのとめ
２６  重りのついたロープとまき上げパイプの拡大図
２７  ネット下降時のストップスイッチ
２８  ネット上昇時のストップスイッチ
２９  つり上げロープのまき上げ時
３０  ５の釣り上げ金具の拡大図
３１  赤外線スイッチのスイッチ
３２  電源
３３  建屋と直結の取り付け部
３４  ボルト固定ヵ所
３５  鉄板
３６  ボルト
３７  建屋
３８  堀削穴
３９  ネットガイド
４０  片面メタル
４１  巻き上げパイプ
４２  ポールとネットガイトの接続金具
４３  注油溝
４４  リング